(57)【特許請求の範囲】
【請求項１】
スライドレールによって支持される抽斗体であって、
前記抽斗体の底部で、かつ、左右の前記スライドレール間に位置される箇所に、前記スライドレールの可動レールに対する係合部材を有しており、
前記係合部材は、
後端側に、左右の前記スライドレール間に前記係合部材を前方から入り込ませる操作に伴って、左側の前記スライドレールの前記可動レールの側面に摺接する係合凸部を備えると共に、前記操作の終了位置で前記可動レールに形成された係合穴に弾性力により前記係合凸部を入り込ませる左側腕と、
後端側に、前記操作に伴って、右側の前記スライドレールの前記可動レールの側面に摺接する係合凸部を備えると共に、前記操作の終了位置で前記可動レールに形成された係合穴に弾性力により前記係合凸部を入り込ませる右側腕と、
前記左側腕と前記右側腕との間に位置される操作部と、
前記操作部と前記左側腕及び前記右側腕とを、前記操作部を前方に引っ張ることで前記係合凸部を前記係合穴から抜け出させる向きに前記左側腕及び前記右側腕を移動させるように接続するつなぎ部とを備えてなる、抽斗体。
【請求項２】
前記係合部材の前記左側腕及び前記右側腕の前端側は前記底部に軸支されており、前記操作部を引っ張ったときに前記軸支された位置を中心に前記つなぎ部を弾性変形させながら前記左側腕及び前記右側腕が回動されるようにしてなる、請求項１に記載の抽斗体。
【請求項３】
前記左側腕における前記係合凸部と前記前端との間に、前記左側腕の外側側部から左側に延びる延出部を備えさせると共に、
前記右側腕における前記係合凸部と前記前端との間に、前記右側腕の外側側部から右側に延びる延出部を備えさせてなる、請求項２に記載の抽斗体。
【請求項４】
前記抽斗体の底部における前記係合部材の直上となる位置に、前記係合部材の前記左側腕及び前記右側腕を軸支するネジ体の上端側に対するネジ孔を備えた金属板を備えさせてなる、請求項２に記載の抽斗体。
【請求項５】
前記抽斗体の底部に、下端に後方に突き出す爪板を備えた垂下片を有しており、
左右の前記スライドレール間に前記係合部材を前方から入り込ませたときに、前記垂下片の前記爪板が前記可動レールの前端の下方に位置されるようにしてなる、請求項１〜請求項４のいずれか１項に記載の抽斗体。
【発明の詳細な説明】
【技術分野】
【０００１】
この発明は、スライドレールによって支持されて、各種の家具や店舗什器などの一部となって、この家具などの収納空間に引き出し可能に納められる抽斗体の改良に関する。
【背景技術】
【０００２】
システムキッチンなどの一部を構成するスライド収納庫を取り外し可能にスライドレールに接続させるようにする着脱装置として、特許文献１に示されるものがある。
【０００３】
この特許文献１のものでは、スライド収納庫は左右のスライドレールによって支持されるようになっている。スライド収納庫の底部には、左側のスライドレールの可動レールに対するレールキャッチと、右側のスライドレールの可動レールに対するレールキャッチとが個別に備えられている。各レールキャッチはそれぞれ、可動レールの係合穴部に対する係合爪と、操作レバーと、弾性片とを備えている。スライドレールからスライド収納庫を取り外す必要が生じた場合（例えば、スライド収納庫に納めていた物が予期せず庫外に落ちてしまった場合など）、特許文献１のものでは、左側のレールキャッチの係合爪が左側の可動レールの係合穴部から抜け出す向きにこの左側のレールキャッチの操作レバーを操作して係合爪を回動させると共に、右側のレールキャッチの係合爪が右側の可動レールの係合穴部から抜け出す向きにこの右側のレールキャッチの操作レバーを操作して係合爪を回動させることを要するものであった。
【先行技術文献】
【特許文献】
【０００４】
【特許文献１】特許第４６２３７１８号公報
【発明の概要】
【発明が解決しようとする課題】
【０００５】
この発明が解決しようとする主たる問題点は、この種のスライドレールによって支持される抽斗体と、スライドレールとを、単一の係合部材によって取り外し可能に接続できるようにすると共に、かかる取り外しのための操作を可及的に容易化する点にある。
【課題を解決するための手段】
【０００６】
前記課題を達成するために、この発明にあっては、抽斗体を、スライドレールによって支持される抽斗体であって、
前記抽斗体の底部で、かつ、左右の前記スライドレール間に位置される箇所に、前記スライドレールの可動レールに対する係合部材を有しており、
前記係合部材は、
後端側に、左右の前記スライドレール間に前記係合部材を前方から入り込ませる操作に伴って、左側の前記スライドレールの前記可動レールの側面に摺接する係合凸部を備えると共に、前記操作の終了位置で前記可動レールに形成された係合穴に弾性力により前記係合凸部を入り込ませる左側腕と、
後端側に、前記操作に伴って、右側の前記スライドレールの前記可動レールの側面に摺接する係合凸部を備えると共に、前記操作の終了位置で前記可動レールに形成された係合穴に弾性力により前記係合凸部を入り込ませる右側腕と、
前記左側腕と前記右側腕との間に位置される操作部と、
前記操作部と前記左側腕及び前記右側腕とを、前記操作部を前方に引っ張ることで前記係合凸部を前記係合穴から抜け出させる向きに前記左側腕及び前記右側腕を移動させるように接続するつなぎ部とを備えてなる、ものとした。
【０００７】
左右の前記スライドレール間に前記係合部材を前方から入り込ませる操作をすると、左側のスライドレールの側面に左側腕の係合凸部を摺接させながらこの操作の終了位置でこの係合凸部を左側のスライドレールの係合穴に入り込ませることができる。それと共に、右側のスライドレールの側面に右側腕の係合凸部を摺接させながらこの操作の終了位置でこの係合凸部を右側のスライドレールの係合穴に入り込ませることができる。これによって、係合部材を介して抽斗体と左右のスライドレールとを連係させて左右のスライドレールによって抽斗体が引き出し、押し込み操作可能に支持された状態を作り出すことができる。この支持状態から操作部を前方に引っ張ると、つなぎ部によって係合凸部を係合穴から抜け出させる向きに左側腕及び右側腕は移動されることから、抽斗体をこれを引き出し操作可能に納める家具などの収納空間から取り外すときは、前記支持状態をワンタッチで解除してかかる取り外しをなすことができる。
【０００８】
前記係合部材の前記左側腕及び前記右側腕の前端側は前記底部に軸支されており、前記操作部を引っ張ったときに前記軸支された位置を中心に前記つなぎ部を弾性変形させながら前記左側腕及び前記右側腕が回動されるようにすることが、この発明の態様の一つとされる。
【０００９】
また、前記左側腕における前記係合凸部と前記前端との間に、前記左側腕の外側側部から左側に延びる延出部を備えさせると共に、
前記右側腕における前記係合凸部と前記前端との間に、前記右側腕の外側側部から右側に延びる延出部を備えさせるようにすることが、この発明の態様の一つとされる。
【００１０】
また、前記抽斗体の底部における前記係合部材の直上となる位置に、前記係合部材の前記左側腕及び前記右側腕を軸支するネジ体の上端側に対するネジ孔を備えた金属板を備えさせるようにすることが、この発明の態様の一つとされる。
【００１１】
また、前記抽斗体の底部に、下端に後方に突き出す爪板を備えた垂下片を有しており、左右の前記スライドレール間に前記係合部材を前方から入り込ませたときに、前記垂下片の前記爪板が前記可動レールの前端の下方に位置されるようにるようにすることが、この発明の態様の一つとされる。
【発明の効果】
【００１２】
この発明によれば、スライドレールによって支持される抽斗体と、スライドレールとを、単一の係合部材によって取り外し可能に接続することができる。それと共に、前記操作部によりかかる取り外しのための操作を片手で容易に行うことが可能となる。
【図面の簡単な説明】
【００１３】
【図１】図１は、この発明の一実施の形態にかかる抽斗体の斜視構成図である。
【図２】図２は、前記抽斗体の底部の前側の要部正面構成図である。
【図３】図３は、前記抽斗体の底部の前側の要部正面構成図であり、係合部材を省略して示している。
【図４】図４は、前記抽斗体の底部と左右のスライドレールとを下側から見て示した斜視構成図である。
【図５】図５は、図４の要部拡大構成図である。
【図６】図６は、前記抽斗体の底部と左右のスライドレールとを下側から見て示した要部拡大底面構成図である。
【図７】図７は抽斗体の底部と、左側のスライドレールを構成する可動レールの先頭レールとを分離して表した斜視構成図である。
【図８】図８は、前記抽斗体の底部を下側から見て示した斜視構成図である。
【図９】図９は、前記抽斗体の底部の要部拡大底面構成図である。
【発明を実施するための形態】
【００１４】
以下、図１〜図９に基づいて、この発明の典型的な実施の形態について、説明する。この実施の形態にかかる抽斗体１は、スライドレール１４によって支持されて、各種の家具や店舗什器などの一部となって、この家具などの収納空間１５に引き出し可能に納められるものである。
【００１５】
図示の例では、抽斗体１は、その引き出し・押し込み方向ｘ（図１参照）に長く、かつ、この引き出し・押し込み方向ｘに直交する左右方向ｙ（図１参照）に短い、長方形の盤状をなす底部２を備えている。
【００１６】
図示の例では、抽斗体１は、底部２を底面とする仮想の六面体の前面に実質的に沿うように配される前面枠部４と、前記六面体の背面に実質的に沿うように配される背面枠部５と、前記六面体の側面の一方に実質的に沿うように配される側面枠部６とを備え、前記六面体の上面と側面の他方とを開放させた構成となっている。前記前面枠部４、背面枠部５、及び、側面枠部６は、金属線の線材から構成される外周部７に、金属製の線材から構成される縦棒部８及び横棒部９を適宜の位置に一体に固着させることで構成されている。
【００１７】
また、図示の例では、抽斗体１の前面枠部４に、図１中符号１０で示される取り付け部材を介して、前板１１が取り付けられるようになっている。前記前板１１は、抽斗体１を前記収納空間１５に押し込みきった位置で、前記家具などの前面の一部となる。
【００１８】
図示の例では、底部２は、下方に向いた主面部２ａと、この主面部２ａよりも上方に位置されるフランジ部２ｂとを備えている。主面部２ａとフランジ部２ｂとの間には、前端部２ｃと、後端部２ｄと、左右の側部２ｅとが形成されている（図７参照）。
【００１９】
また、図示の例では、底部２の主面部２ａに取り付けられる金属板２ｆによって、底部２の主面部２ａの左右にそれぞれ、下方に突き出すガイド部２ｇが形成されている。金属板２ｆは底部２の主面部２ａと実質的に等しい板幅を備えると共に、前後方向に沿った縁部に沿って前記ガイド部２ｇとなる折り曲げ箇所を備えた構成となっている（図７参照）。
【００２０】
また、かかる抽斗体１は、前記収納空間１５に備えられる左右のスライドレール１４によって、支持されるようになっている。
【００２１】
また、かかる抽斗体１は、左右の前記スライドレール１４に取り外し可能に接続される構成を備えている。
【００２２】
この実施の形態にあっては、かかる抽斗体１の前記底部２における、左右の前記スライドレール１４間に位置される箇所に、前記スライドレール１４の可動レール１４ａに対する係合部材３が備えられている。そして、この実施の形態にあっては、かかる抽斗体１は、後述のように、かかる係合部材３の係合凸部３ｅをスライドレール１４の可動レール１４ａの係合穴１４ｉに係合させることにより、左右の前記スライドレール１４に取り外し可能に接続されるようになっている。
【００２３】
左右のスライドレール１４はそれぞれ、固定レール１４ｄと、可動レール１４ａとから構成されている。図示の例では、可動レール１４ａはさらに、中間レール１４ｂと、先頭レール１４ｃとに区分されている。
【００２４】
固定レール１４ｄは前記収納空間１５の底面部１５ａに固定され、これにより前記収納空間１５内にスライドレール１４が備え付けられる（図２参照）。
【００２５】
中間レール１４ｂは、固定レール１４ｄに前記引き出し・押し込み方向ｘに移動可能に支持されている。先頭レール１４ｃは、中間レール１４ｂに前記引き出し・押し込み方向ｘに移動可能に支持されている。
【００２６】
前記底部２は、前記先頭レール１４ｃに後述のように係合されることにより前記先頭レール１４ｃと一体化されるようになっている。これにより、前記収納空間１５に押し込みきられている状態から抽斗体１を引き出し操作すると、中間レール１４ｂの案内により先頭レール１４ｃが引き出されると共に、固定レール１４ｄの案内により中間レール１４ｂが引き出され、抽斗体１が引き出しきられるようになっている。
【００２７】
先頭レール１４ｃは、その前端側の側面であって、底部２の前記引き出し・押し込み方向ｘに沿った移動中心軸ｘａ（図５、図６参照）側に位置される側面１４ｅに、前記係合穴１４ｉを備えている。また、先頭レール１４ｃは、その後端部に、上方ｚａ（図１，図４参照）へ向けた突き出し部１４ｇを有すると共に、この突き出し部１４ｇの前部には前方に突き出す外れ止め部１４ｈが形成されている（図７参照）。
【００２８】
このように構成されて、前記収納空間１５の底面部１５ａに固定される左右のスライドレール１４間に、前記抽斗体１の底部２を、この底部２の後端部２ｄを先にして入り込ませるように抽斗体１を移動操作することにより、左右の前記スライドレール１４に抽斗体１が取り外し可能に接続されるようになっている。
【００２９】
図示の例では、底部２の前記左右のガイド部２ｇ間の距離が、左右のスライドレール１４の先頭レール１４ｃにおける外側面１４ｆ間の距離と実質的に等しくなるようにしてある（図３参照）。これにより、左右のスライドレール１４間に抽斗体１の底部２を真っ直ぐに入り込ませることができるようになっている。
【００３０】
図示の例では、抽斗体１の底部２は、その後端部２ｄがスライドレール１４の前記突き出し部１４ｇに突き当たる位置（以下、導入終了位置と称する。）まで、左右のスライドレール１４間に前記のように入り込ませることができるようになっている。左右のスライドレール１４間に抽斗体１の底部２が前記導入終了位置まで入り込まされると、後述の係合部材３の係合凸部３ｅが可動レール１４ａとしての先頭レール１４ｃの係合穴１４ｉに入り込み抽斗体１の底部２の前端部２ｃ側がスライドレール１４と一体化されると共に、図示の例では、抽斗体１の底部２の後端部２ｄに形成された受容部２ｈに前記外れ止め部１４ｈが入り込んで抽斗体１の底部２の後端部２ｄ側もスライドレール１４と一体化されるようになっている（図４参照）。
【００３１】
一方、前記係合部材３は、左側腕３ａと、右側腕３ｂと、操作部３ｃと、つなぎ部３ｄとを備えている。
【００３２】
図示の例では、係合部材３は、前記抽斗体１の底部２における前端部２ｃ側において、主面部２ａに備え付けられている。具体的には、係合部材３は、前記操作部３ｃを前記移動中心軸ｘａ上に位置させると共に、この移動中心軸ｘａの右側に右側腕３ｂを、左側に左側腕３ａを位置させている。左側腕３ａに対し右側腕３ｂは、前記移動中心軸ｘａを中心とした線対称の形状を持った構成となっている。また、図示の例では、前記係合部材３は、左側腕３ａと、右側腕３ｂと、操作部３ｃと、つなぎ部３ｄとを、一体に備えた合成樹脂の成形品となっている。図示の例では、前記つなぎ部３ｄが弾性変形しやすくなっており、主としてこのつなぎ部３ｄによって後述の弾性力が生じるようになっている。
【００３３】
左側腕３ａは、その後端３ｈ側に、左右の前記スライドレール１４間に前記係合部材３を前方から入り込ませる操作に伴って、左側の前記スライドレール１４の前記可動レール１４ａの前記移動中心軸ｘａ側に位置される側面１４ｅに摺接する係合凸部３ｅを備えると共に、前記操作の終了位置で前記可動レール１４ａに形成された係合穴１４ｉに弾性力により前記係合凸部３ｅを入り込ませる構成となっている。
【００３４】
図示の例では、左側腕３ａの係合凸部３ｅは、左側腕３ａにおける前記移動中心軸ｘａに向けられる内側側部３ｆと反対の外側側部３ｇから左側に突き出している。図示の例では、左側腕３ａの外側側部３ｇにおける前記後端３ｈと係合凸部３ｅの頂部３ｉとの間は、この頂部３ｉに近づくに連れて左側腕３ａの左右方向ｙの幅を漸増させる傾斜面３ｊとなっている。また、係合凸部３ｅは、傾斜面３ｊと反対の側に前端３ｋ側を向いた段差３ｍを備えている。
【００３５】
また、図示の例では、左側腕３ａにおける係合凸部３ｅと前端３ｋとの間には、一端を左側腕３ａの外側側部３ｇに一体化させて左側に延びる延出部３ｎが備えられている。
【００３６】
また、図示の例では、左側腕３ａは、その前端３ｋ側において、前記底部２の主面部２ａに、軸支されている。図示の例では、左側腕３ａは、その前端３ｋ側に形成された軸穴３ｏ（図９参照）を通じて前記主面部２ａ側にネジ付けられるネジ体１２によって前記底部２の主面部２ａに軸支されている。
【００３７】
右側腕３ｂは、前記のように左側腕３ａと線対称の形状となっている。したがって、右側腕３ｂについては、左側腕３ａと実質的に同一の部分については、各図において左側腕３ａに付した符号と同一の符号を付してその説明を省略する。
【００３８】
操作部３ｃは、前記左側腕３ａと前記右側腕３ｂとの間に位置される。図示の例では、操作部３ｃは、前記移動中心軸ｘａに沿った棒状を呈している。図示の例では、操作部３ｃの前端３ｐは、左側腕３ａの軸支位置と右側腕３ｂの軸支位置とを通る前記移動中心軸ｘａに直交する仮想の直線Ｌ１（図９参照）よりも前方（図９の左方）に位置している。また、操作部３ｃの後端が前記仮想の直線Ｌ１よりも後方（図９の右方）で前記係合凸部３ｅよりも前方に位置している。
【００３９】
また、操作部３ｃの前端側には、下方に突き出す突部が形成されており、この突部によって、後方に向いた指掛け部３ｒが形成されている。
【００４０】
つなぎ部３ｄは、前記操作部３ｃと前記左側腕３ａ及び前記右側腕３ｂとを、前記操作部３ｃを前方に引っ張ることで前記係合凸部３ｅを前記係合穴１４ｉから抜け出させる向きに前記左側腕３ａ及び前記右側腕３ｂを移動させるように接続する。
【００４１】
図示の例では、つなぎ部３ｄは、操作部３ｃの後端３ｑに一端を一体化させて後方に延び出すと共に他端を左側腕３ａの後端３ｈ側においてこの左側腕３ａの内側側部３ｆに一体化させる左側部分３ｓと、操作部３ｃの後端３ｑに一端を一体化させて後方に延び出すと共に他端を右側腕３ｂの後端３ｈ側においてこの右側腕３ｂの内側側部３ｆに一体化させる右側部分３ｔとを、備えている。つなぎ部３ｄは幅広の面を縦向きに配した帯紐状を呈している（図８参照）。
【００４２】
つなぎ部３ｄの左側部分３ｓと右側部分３ｔとはそれぞれ、操作部３ｃに一体化されると共に移動中心軸ｘａに実質的に沿うように形成された前側部分３ｕと、左側腕３ａ又は右側腕３ｂに一体化されると共に前記前側部分３ｕよりも外側において移動中心軸ｘａに実質的に沿うように形成された後側部分３ｖと、前側部分３ｕの後端と後側部分３ｖの前端をつなぐ左右方向ｙに実質的に沿った連接部分と３ｗを備えたＳ字状に屈曲した形態となっている（図９参照）。
【００４３】
左右の前記スライドレール１４間に前記係合部材３を前方から入り込ませる操作をすると、左側のスライドレール１４の側面１４ｅに左側腕３ａの係合凸部３ｅを摺接させながらこの操作の終了位置でこの係合凸部３ｅを左側のスライドレール１４の係合穴１４ｉに入り込ませることができる。それと共に、右側のスライドレール１４の側面１４ｅに右側腕３ｂの係合凸部３ｅを摺接させながらこの操作の終了位置でこの係合凸部３ｅを右側のスライドレール１４の係合穴１４ｉに入り込ませることができる。これによって、係合部材３を介して抽斗体１と左右のスライドレール１４とを連係させて左右のスライドレール１４によって抽斗体１が引き出し、押し込み操作可能に支持された状態を作り出すことができる。この支持状態から操作部３ｃを前方に引っ張ると、つなぎ部３ｄによって係合凸部３ｅを係合穴１４ｉから抜け出させる向きに左側腕３ａ及び右側腕３ｂは移動されることから、抽斗体１をこれを引き出し操作可能に納める家具などの収納空間１５から取り外すときは、前記支持状態をワンタッチで解除してかかる取り外しをなすことができる。
【００４４】
図示の例では、左側腕３ａの係合凸部３ｅの頂部３ｉと右側腕３ｂの係合凸部３ｅの頂部３ｉとの間の距離Ｌ２（図９参照）は、左右のスライドレール１４の先頭レール１４ｃの前記側面１４ｅ間の距離よりもやや大きくなっている。
【００４５】
左右の前記スライドレール１４間に前記係合部材３を前方から入り込ませる操作をすると、先頭レール１４ｃの前記側面１４ｅに左側腕３ａ及び右側腕３ｂの前記傾斜面３ｊが摺接し、前記距離を狭める向き（図９において矢印ｒａで示す向き）への左側腕３ａと右側腕３ｂとの回動を許容させるようにつなぎ部３ｄが弾性変形する。
【００４６】
左右のスライドレール１４間に抽斗体１の底部２が前記導入終了位置まで入り込まされると、つなぎ部３ｄが弾性復帰し、左側腕３ａ及び右側腕３ｂは共に前記回動前の位置に向けて復動し、その係合凸部３ｅがスライドレール１４の可動レール１４ａの係合穴１４ｉに入り込み係合される（図６参照）。
【００４７】
また、前記左側腕３ａ及び前記右側腕３ｂの前端側は前記底部２に軸支されており、前記操作部３ｃを引っ張ったときに前記軸支位置を中心に前記つなぎ部３ｄを弾性変形させながら前記左側腕３ａ及び前記右側腕３ｂが回動されるようになっている。
【００４８】
図示の例では、抽斗体１の底部２の前端部２ｃ側から前記操作部３ｃの指掛け部３ｒを利用して操作部３ｃを前方（図９において矢印ｒｂで示す向き）に引っ張ることで、前記距離Ｌ２を狭める向きに左側腕３ａ及び右側腕３ｂを回動させて、係合凸部３ｅを係合穴１４ｉから抜け出させ、係合部材３とスライドレール１４の可動レール１４ａとの係合を解除できるようになっている。
【００４９】
なお、図示の例では、左側腕３ａの延出部３ｎと右側腕３ｂの延出部３ｎとを共に、後方（図９において矢印ｒｃで示す向き）に押し込むように操作することによっても、前記距離Ｌ２を狭める向きに左側腕３ａ及び右側腕３ｂを回動させて、係合凸部３ｅを係合穴１４ｉから抜け出させ、係合部材３とスライドレール１４の可動レール１４ａとの係合を解除できるようになっている。
【００５０】
また、図示の例では、底部２の前端部２ｃ側には、主面部２ａを上下に貫通する左右方向に長いスロット２ｉが形成されている。
【００５１】
そして、底部２の前端部２ｃ側であって、係合部材２の直上となる位置には、主面部２ａを介して、係合部材３の左側腕３ａ及び右側腕３ｂを軸支する前記ネジ体１２を利用して金属板１３が取り付けられている。
【００５２】
金属板１３には、係合部材３の左側腕３ａ及び右側腕３ｂを軸支するネジ体１２の上端側に対するネジ孔１３ｅが備えられている。係合部材３の軸穴３ｏ中に納められた筒状スペーサ１２ｂと主面部２ａに形成された通過穴とを通じて下方から金属板１３のネジ孔１３ｅにネジ体１２をネジ付けることで、係合部材３と金属板１３とにより主面部２ａを挟み付けるようにして、抽斗体１の底部２に係合部材３と金属板１３とが強固に備え付けられている。筒状スペーサ１２ｂの下端は軸穴３ｏからわずかに突き出しており、ネジ体１２を締め付けきった状態においてネジ体１２のネジ頭１２ａと係合部材３の下面との間には隙間が作られ、係合部材３の左側腕３ａ及び右側腕３ｂの前記回動に支障が生じないようになっている（図２参照）。
【００５３】
金属板１３は、その後辺１３ａに、前記スロット２ｉを通じて前記主面部２ａの下方に突き出す垂下片１３ｂを、左右二箇所に備えている。
【００５４】
左右の垂下片１３ｂはそれぞれ、その下端から後方に突き出す爪板１３ｃを有している。また、左右の爪板１３ｃはそれぞれ、前記移動中心軸ｘａ側に位置される辺部に下方に突き出す規制片１３ｄを備えている。
【００５５】
左側の垂下片１３ｂの規制片１３ｄは左側腕３ａの係合部材３の係合突部３ｅよりも前方において左側腕３ａの外側側部３ｇの左方に位置し、右側の垂下片１３ｂの規制片１３ｄは右側腕３ｂの係合部材３の係合突部３ｅよりも前方において右側腕３ｂの外側側部３ｇの右方に位置している。これにより、左側腕３ａの係合凸部３ｅの頂部３ｉと右側腕３ｂの係合凸部３ｅの頂部３ｉとの間の距離Ｌ２（図９参照）がそれ以上に広がることがないようになっている。
【００５６】
左右のスライドレール１４間に抽斗体１の底部２が前記導入終了位置まで入り込まされると、左側の垂下片１３ｂの爪板１３ｃが左側の可動レール１４ａの先頭レール１４ｃの前端の水平部１４ｊの下方に位置し、かつ、右側の垂下片１３ｂの爪板１３ｃが右側の可動レール１４ａの先頭レール１４ｃの前端の水平部１４ｊの下方に位置するようになっている。これにより、スライドレール１４に対し抽斗体１の底部２の前端部２ｃ側は抽斗体１を持ち上げたときに外れることがないようになっている。
【００５７】
なお、当然のことながら、本発明は以上に説明した実施態様に限定されるものではなく、本発明の目的を達成し得るすべての実施態様を含むものである。
【符号の説明】
【００５８】
１  抽斗体
２  底部
２ａ  主面部
２ｂ  フランジ部
２ｃ  前端部
２ｄ  後端部
２ｅ  側部
２ｆ  金属板
２ｇ  ガイド部
２ｈ  受容部
２ｉ  スロット
３  係合部材
３ａ  左側腕
３ｂ  右側腕
３ｃ  操作部
３ｄ  つなぎ部
３ｅ  係合凸部
３ｆ  内側側部
３ｇ  外側側部
３ｈ  後端
３ｉ  頂部
３ｊ  傾斜面
３ｋ  前端
３ｍ  段差
３ｎ  延出部
３ｏ  軸穴
３ｐ  前端（操作部）
３ｑ  後端（操作部）
３ｒ  指掛け部
３ｓ  左側部分
３ｔ  右側部分
４  前面枠部
５  背面枠部
６  側面枠部
７  外周部
８  縦棒部
９  横棒部
１０  取り付け金具
１１  前板
１２  ネジ体
１２ａ  ネジ頭
１２ｂ  筒状スペーサ
１３  金属板
１３ａ  後辺
１３ｂ  垂下片
１３ｃ  爪板
１３ｄ  規制片
１４  スライドレール
１４ａ  可動レール
１４ｂ  中間レール
１４ｃ  先頭レール
１４ｄ  固定レール
１４ｅ  側面
１４ｆ  外側面
１４ｇ  突き出し部
１４ｈ  外れ止め部
１４ｉ  係合穴
１４ｊ  水平部
１５  収納空間
１５ａ  底面部
ｘ  引き出し方向
ｘａ  移動中心軸
ｙ  左右方向
【要約】
【課題】抽斗体とスライドレールとを、単一の係合部材によって取り外し可能に接続可能とすると共に、かかる取り外しのための操作を可及的に容易化する。
【解決手段】抽斗体１の底部２で、かつ、左右のスライドレール１４間に位置される箇所に、スライドレール１４の可動レール１４ａに対する係合部材３を有している。係合部材３は、左側の可動レール１４ａに形成された係合穴１４ｉに弾性力により係合凸部３ｅを入り込ませる左側腕３ａと、右側の可動レール１４ａに形成された係合穴１４ｉに弾性力により係合凸部３ｅを入り込ませる右側腕３ｂと、左側腕３ａと右側腕３ｂとの間に位置される操作部３ｃと、操作部３ｃと左側腕３ａ及び右側腕３ｂとを操作部３ｃを前方に引っ張ることで係合凸部３ｅを係合穴１４ｉから抜け出させる向きに左側腕３ａ及び右側腕３ｂを移動させるように接続するつなぎ部３ｄとを備える。
【選択図】図５【図１】
0006796232.tif 000002
【図２】
0006796232.tif 000003
【図３】
0006796232.tif 000004
【図４】
0006796232.tif 000005
【図５】
0006796232.tif 000006
【図６】
0006796232.tif 000007
【図７】
0006796232.tif 000008
【図８】
0006796232.tif 000009
【図９】
0006796232.tif 000010